(57)【特許請求の範囲】
【請求項１】
所定流路を流れる被測定流体の流量を検出する流量検出手段と、
前記流量を検出する検出期間の開始及び終了を設定する検出期間設定手段と、
前記検出期間に前記流量検出手段により検出された流量に基づいて、前記検出期間における前記流量に関する情報である流量情報を取得する流量情報取得手段と、
前記流量情報を表示する表示手段と、を備える流量計であって、
前記検出期間の開始から終了までの経過時間を計測するタイマを有し、
前記流量検出手段は、前記被測定流体の瞬時流量を検出するものであり、
前記流量情報は、前記検出期間における瞬時流量の最大値、最小値、及び平均値のうち少なくとも１つを含み、
前記検出期間設定手段は、ユーザの操作入力によって前記検出期間の設定及び終了を設定する操作部である流量計。
【請求項２】
前記流量情報は、前記検出期間における瞬時流量の最大値、最小値、及び平均値のうち少なくとも２つを含み、
前記表示手段は、前記流量情報に含まれる複数の情報を所定順序で表示する
請求項１に記載の流量計。
【請求項３】
前記流量情報に含まれる複数の情報から少なくとも１つを指定する指定手段を備え、
前記表示手段は、前記指定手段により指定された情報を表示する
請求項２に記載の流量計。
【請求項４】
前記流量情報は、前記検出期間における瞬時流量の最大値、最小値、及び平均値のうち少なくとも２つを含み、
前記検出期間における流量情報に含まれる複数の情報から１つを選択する選択手段を備え、
前記表示手段は、前記選択手段により選択された情報を表示する
請求項１に記載の流量計。
【請求項５】
前記表示手段は、前記検出期間設定手段により前記検出期間の終了が設定されたときに表示する
請求項１乃至４の何れか一項に記載の流量計。
【請求項６】
前記表示手段を起動する表示起動手段を備え、
前記表示手段は、前記検出期間設定手段により前記検出期間の終了が設定された後、前記表示起動手段により起動されたときに表示する
請求項１乃至４の何れか一項に記載の流量計。
【発明の詳細な説明】
【技術分野】
【０００１】
本発明に係るいくつかの態様は、例えば気体・液体等の被測定流体を検出する流量計に関する。
【背景技術】
【０００２】
従来、この種の流量計を用い、どの時間帯でどの程度の量を使用しているか、どの時間帯でどの程度の流量があるか等、被測定流体（以下、単に「流体」ということがある）の使用状況を把握したいという要請がある。
【０００３】
この問題を解決するために、所定時刻における瞬時流量に関する情報（以下、「トレンドデータ」ということがある）を収集することを目的として、使用日時とともに流量計を用いて複数の水栓の流体使用量を検出し、検出された流体使用量に関する情報をパソコン等を用いて解析するデータ処理システムが知られている（例えば、特許文献１参照）。
【特許文献１】特開２００５−１４７７２１号公報
【発明の開示】
【発明が解決しようとする課題】
【０００４】
しかしながら、特許文献１に記載されたようなデータ処理システムでは、トレンドデータを収集して使用状況を解析するための機器構成が複雑になるとともに、このようなシステムを構築するために高いコストを要するという問題があった。
【０００５】
また、トレンドデータを収集するために流量計に時計を搭載する場合であっても、時計は長期間の使用に伴って故障や狂い（計時誤差）が生じ易い上に消費電力が比較的大きく、かつ、比較的高価であるため、計測の精確性やコスト等の点において依然として改善すべき課題が残る可能性が高い。いわゆる電波時計を搭載し、公共の電波放送による時報信号を用いて時刻を定期的に修正することも考えられるが、コストが増加する。
【０００６】
本発明のいくつかの態様は前述の問題に鑑みてなされたものであり、比較的安価で簡素な構成を有しながら、被測定流体の使用状況を把握することのできる流量計を提供することを目的の１つとする。
【課題を解決するための手段】
【０００７】
本発明に係る流量計は、所定流路を流れる被測定流体の流量を検出する流量検出手段と、検出期間の開始及び終了を設定する検出期間設定手段と、前記検出期間に前記流量検出手段により検出された流量に基づいて、前記検出期間における前記流量に関する情報である流量情報を取得する流量情報取得手段とを備える。
【０００８】
かかる構成によれば、検出期間の開始及び終了が設定され、検出期間に流量検出手段により検出された流量に基づいて、流量情報が取得される。ここで、被測定流体の使用状況を把握するためには、時刻に関する情報そのものは必ずしも必要ではなく、所定の期間が設定され、当該期間にわたって被測定流体の流量を検出すれば、例えば当該期間における流量の最大値、最小値、平均値等の流量情報を取得することができるので、どの時間帯でどの程度の量を使用しているか、どの時間帯でどの程度の流量があるか等の被測定流体の使用状況を把握することができる。従って、時刻情報を必要とするトレンドデータを収集することなく、検出期間に検出された流量に基づき取得した流量情報から、被測定流体の使用状況を把握することができる。
【０００９】
また、前記流量計において、前記流量検出手段は、前記被測定流体の瞬時流量を検出するものであり、前記流量情報は、前記検出期間における瞬時流量の最大値、最小値、及び平均値のうち少なくとも１つを含むように構成することができる。
【００１０】
かかる構成によれば、流量情報が、検出期間における瞬時流量の最大値、最小値、及び平均値のうち少なくとも１つを含むので、検出期間における瞬時流量の最大値、最小値、及び平均値のうち少なくとも１つの情報を取得することができる。
【００１１】
また、前記流量計において、前記流量情報を表示する表示手段を備えることもできる。
【００１２】
かかる構成によれば、流量情報が表示手段に表示されるので、流量情報をユーザに報知することができる。
【００１３】
また、前記流量計において、前記流量情報は、前記検出期間における瞬時流量の最大値、最小値、及び平均値のうち少なくとも２つを含み、前記表示手段は、前記流量情報に含まれる複数の情報を所定順序で表示するように構成することができる。
【００１４】
かかる構成によれば、流量情報に含まれる複数の情報が所定順序で表示手段に表示されるので、検出期間における瞬時流量の最大値、最小値、及び平均値のうち少なくとも２つの情報を、ユーザが順序を設定することなく、自動的に所定順序で表示することができる。
【００１５】
また、前記流量計において、前記流量情報は、前記検出期間における瞬時流量の最大値、最小値、及び平均値のうち少なくとも２つを含み、前記流量情報に含まれる複数の情報から１つを指定する指定手段を備え、前記表示手段は、前記指定手段により指定された情報を表示するように構成することができる。
【００１６】
かかる構成によれば、流量情報に含まれる複数の情報のうち指定手段により指定された情報が表示手段に表示されるので、検出期間における瞬時流量の最大値、最小値、及び平均値から、ユーザが任意に指定した１つの情報を表示することができる。
【００１７】
また、前記流量計において、前記表示手段は、前記検出期間設定手段により前記検出期間の終了が設定されたときに表示するように構成することもできる。
【００１８】
かかる構成によれば、検出期間の終了が設定されたときに表示手段に表示されるので、検出期間における瞬時流量の最大値、最小値、及び平均値のうち少なくとも１つの情報を、ユーザの操作を必要とすることなく、自動的に表示することができる。
【００１９】
また、前記流量計において、前記表示手段を起動する表示起動手段を備え、前記表示手段は、前記検出期間設定手段により前記検出期間の終了が設定された後、前記表示起動手段により起動されたときに表示するように構成することができる。
【００２０】
かかる構成によれば、検出期間の終了が設定された後、表示起動手段により起動されたときに表示手段に表示するので、検出期間における瞬時流量の最大値、最小値、及び平均値のうち少なくとも１つの情報を、ユーザの操作による任意のタイミングで表示することができる。
【発明の効果】
【００２１】
本発明によれば、時刻情報を必要とするトレンドデータを収集することなく、検出期間に検出された流量に基づき取得した流量情報から、被測定流体の使用状況を把握することができる。これにより、時刻情報を得るための時計が不要となるとともに、トレンドデータを収集、解析するための機器構成やコストが不要となることから、比較的安価で簡素な構成を有しながら、被測定流体の使用状況を把握することができる。
【発明を実施するための最良の形態】
【００２２】
以下、図面を参照しながら本発明に係る流量計の一実施形態について説明する。本実施形態における流量計は、例えば被測定流体であるガスの瞬時流量を検出するとともに、検出した瞬時流量を積算してガスの使用量を算出する積算流量計である。
【００２３】
図１乃至図４に示すように、流量計１は、ガスが流通する配管Ｐの一部に取り付けられて流路を形成する流量計ボディ部２と、流量計ボディ部２に接続され、流れセンサ１２や制御部３０等を有する計測部３と、を主たる構成として備える。
【００２４】
図２乃至図４に示すように、流量計ボディ部２は、略直方体形状を呈する筐体であり、ガスが流通する断面円形の管路７、管路７の途中に形成された絞り機構８、管路７の上側（計測部３が接続される側）に形成された流路であって、絞り機構８を挟んで上流側及び下流側の位置に形成され、管路７と外部とを連通させる分岐流路９、１０等を有する。管路７の上流側及び下流側には、配管Ｐが捩じ込み接続される。絞り機構８は、管路７の内径よりも小さい内径を有しており、上流側の配管Ｐから下流側の配管Ｐへと流通するガスに絞り機構８の前後で差圧を発生させるように機能する。
【００２５】
図２及び図４に示すように、流量計ボディ部２の上面には、平面視略円形状で所定深さの凹部２ａが形成されており、この凹部２ａには、計測部３のバイパス流路形成部３ｂ（後述）が嵌め込まれる。絞り機構８よりも上流側に配置された分岐流路９は、流量計ボディ部２内部側の小径部と流量計ボディ部２外部側の大径部とから構成されており、計測部３のバイパス流路形成部３ｂのバイパス流路３ｃ（後述）に連通接続される。絞り機構８よりも下流側に配置された分岐流路１０も、同様に流量計ボディ部２内部側の小径部と流量計ボディ部２外部側の大径部とから構成され、バイパス流路３ｃに連通接続される。
【００２６】
図１乃至図４に示すように、計測部３は、略直方体形状を呈する筐体を有しており、この筐体の上側（流量計ボディ部２と反対側）には、表示部４ａ及び操作部４ｂを有する表示操作パネル４が設けられている。図７に示すように、表示部４ａは、各種情報を最大５桁の数字又は英字で表示する７セグメントディスプレイ４１と、操作部４ｂの操作により設定されたモードを示し、積算流量モード表示灯４２及び瞬時流量モード表示灯４３から構成されるモード表示灯とを有する。７セグメントディスプレイ４１は、検出したガスの瞬時流量（Ｌ／ｍｉｎ）や瞬時流量の積算値（Ｌ）をリアルタイムで表示するほか、操作部４ｂの操作により開始及び終了が設定される検出期間における瞬時流量の最大値、最小値、平均値等の情報（以下、検出期間における流量情報という）を表示する。操作部４ｂは、各種情報を指定するための左シフトキー５１及び右シフトキー５２と、モードを設定するための下キー５３及び上キー５４と、検出期間の開始及び終了を設定するための実行キー５５と、入力キー５６と、７セグメントディスプレイ４１を起動し、検出期間における流量に関する情報（以下、「流量情報」ということがある）を表示させるための表示キー５７とを有する。
【００２７】
図１乃至図４に示すように、計測部３を構成する筐体の側面には、給電用及び各種信号送受信用のケーブルＣを接続させるためのケーブル接続部５が設けられている。また、計測部３を構成する筐体の下側（流量計ボディ部２が接続される側）には、板状部３ａが固定されている。図２及び図４に示すように、計測部３の板状部３ａと、流量計ボディ部２に形成され相互に重ねられたネジ孔とにネジ６が螺入されることにより、計測部３が流量計ボディ部２に固定される。
【００２８】
図４に示すように、計測部３の板状部３ａと流量計ボディ部２との間には、バイパス流路形成部３ｂが配置される。バイパス流路形成部３ｂは、流量計ボディ部２の凹部２ａに嵌め込まれるような平面視略円形状の薄型の部材であり、その下面には、流量計ボディ部２の分岐流路９、１０に連通接続されるバイパス流路３ｃが形成されている。流量計ボディ部２の上流側の管路７を流通するガスは、絞り機構８の前後の差圧によりその一部が上流側の分岐流路９を経由して計測部３のバイパス流路３ｃに流入し、その後、流量計ボディ部２の下流側の分岐流路１０を経由して下流側の管路７にバイパスされるようになっている。主流路である管路７に流れる流量とバイパス流路３ｃに流れる流量との比率（分流比）は、計算あるいは実測によって予め特定しておく必要がある。なお、流量計ボディ部２の凹部２ａ内であってバイパス流路形成部３ｂの周囲には、図２及び図４に示すようなパッキン１１が嵌め込まれ、このパッキン１１により、計測部３の板状部３ａと流量計ボディ部２の凹部２ａとから形成される空間の気密性が確保される。
【００２９】
計測部３の底面に固定された板状部３ａの中央部には、流れセンサ１２が設けられている。流れセンサ１２は、バイパス流路３ｃを流通するガスの流速又は流量（瞬時流量）を検出する。流れセンサ１２としては、種々の構成を採用することができ、本実施形態においては、ダイヤフラムを有する熱式流量センサを採用している。
【００３０】
図５及び図６に示すように、流れセンサ１２は、キャビティ２６が設けられた基板２０、基板２０上にキャビティ２６を覆うように配置された絶縁膜２５、絶縁膜２５に設けられたヒータ２１、ヒータ２１より上流側に設けられた上流側測温抵抗素子２２、ヒータ２１より下流側に設けられた下流側測温抵抗素子２３、上流側測温抵抗素子２２より上流側に設けられた周囲温度センサ２４等を有する。
【００３１】
絶縁膜２５のキャビティ２６を覆う部分は、熱容量が小さく、基板２０に対して断熱性を有するダイヤフラムを構成している。周囲温度センサ２４は、バイパス流路３ｃに流入してきた流体の温度を測定する。ヒータ２１は、キャビティ２６を覆う絶縁膜２５の中心に配置されており、周囲温度センサ２４が計測した流体の温度よりも一定温度、例えば１０℃高くなるように加熱される。上流側測温抵抗素子２２はヒータ２１より上流側の温度を検出するために用いられ、下流側測温抵抗素子２３はヒータ２１より下流側の温度を検出するために用いられる。
【００３２】
ここで、バイパス流路３ｃ中の流体が静止している場合、ヒータ２１で加えられた熱は、上流方向と下流方向へ対称的に拡散する。従って、上流側測温抵抗素子２２及び下流側測温抵抗素子２３の温度は等しくなり、上流側測温抵抗素子２２及び下流側測温抵抗素子２３の電気抵抗は等しくなる。これに対し、バイパス流路３ｃ中の流体が上流から下流に流れている場合、ヒータ２１で加えられた熱は、下流方向に運ばれる。従って、上流側測温抵抗素子２２の温度よりも、下流側測温抵抗素子２３の温度が高くなる。そのため、上流側測温抵抗素子２２の電気抵抗と下流側測温抵抗素子２３の電気抵抗との間に差が生じる。下流側測温抵抗素子２３の電気抵抗と上流側測温抵抗素子２２の電気抵抗の差は、バイパス流路３ｃ中の流体の速度や流量と相関関係がある。そのため、下流側測温抵抗素子２３の電気抵抗と上流側測温抵抗素子２２の電気抵抗の差から、バイパス流路３ｃを流れる流体の速度や流量が算出される。なお、バイパス流路３ｃを流れる流体の速度に、バイパス流路３ｃの断面積を乗じることにより、瞬時流量（Ｌ／ｍｉｎ）が算出され、さらに分流比に基づいて主流路である管路７の瞬時流量（Ｌ／ｍｉｎ）が算出される。
【００３３】
図５及び図６に示す基板２０の材料としては、シリコン(Ｓｉ)等が使用可能である。絶縁膜２５の材料としては、酸化ケイ素(ＳｉＯ2)等が使用可能である。キャビティ２６は、異方性エッチング等により形成される。またヒータ２１、上流側測温抵抗素子２２、下流側測温抵抗素子２３及び周囲温度センサ２４の各材料には白金(Ｐｔ)等が使用可能であり、リソグラフィ法等により形成可能である。
【００３４】
また、図７に示すように、計測部３は、各種電子機器を統合制御する制御部３０を有する。制御部３０は、中央演算処理装置（以下、「ＣＰＵ」という）３１、設定操作や演算処理のためのアルゴリズムのほか各種制御プログラムが予め書き込まれているＲＯＭ３２、流量計１に対して取り外し可能に装着されるＥＥＰＲＯＭ３３、流れセンサ１２で検出した瞬時流量に係る情報を記憶するＲＡＭ３４、流量計１の外部との間で制御信号等の入出力を行う入出力インターフェース３５、流量計１の外部との間で情報の送受信を行う通信部３６、検出期間の開始から終了までの経過時間を計測するタイマ３７等を有する。ＲＡＭ３４は、瞬時流量に関する情報に加え、タイマ３７で計測した経過時間に関する情報を記憶する。また、ＲＡＭ３４は流量情報を記憶することもできる。ＥＥＰＲＯＭ３３は、ＲＡＭ３４と同様に、流れセンサ１２で検出した瞬時流量に関する情報、タイマ３７で計測した経過時間に関する情報、及び流量情報を記憶することができ、ＥＥＰＲＯＭ３３で記憶した情報は、外部の機器によって読み込まれるようにすることができる。
【００３５】
ＣＰＵ３１は、ＲＯＭ３２内の各種制御プログラムを読み込んで、種々の情報処理や機器の制御を行う。具体的には、検出期間の開始が設定されていない状態において、ユーザが操作部４ｂの実行キー５５を押すと、検出期間の開始が設定され、ＣＰＵ３１は、タイマ３７を起動させてユーザによる操作入力があった時点からの経過時間の計測を開始するとともに、流れセンサ１２において検出されたガスの瞬時流量をＲＡＭ３４に記憶する。また、検出期間の開始が設定された状態において、ユーザが操作部４ｂの実行キー５５を再び押すと、検出期間の終了が設定され、ＣＰＵ３１は、タイマ３７を停止させて経過時間の計測を終了するとともに、計測された経過時間をＲＡＭ３４に記憶する。
【００３６】
検出期間の開始から終了までの間にわたって、図８に示すように、ＣＰＵ３１は、所定の検出間隔ごとに流れセンサ１２においてガスの瞬時流量（Ｑ1、Ｑ2、……、ＱN-1、ＱN）を検出させる。流れセンサ１２における瞬時流量の検出間隔（サンプリング周期）は、流量計１の仕様や使用状況等に応じて適宜設定することができる。例えば、図９に示すように、流れセンサ１２における検出間隔を１０分（サンプリング周期：１０分）とし、検出期間の開始から終了までの間に２０回検出するように設定することができる。なお、ＣＰＵ３１は、流れセンサ１２における検出値（バイパス流路３ｃを流通するガスの瞬時流量）を、所定の変換式を用いて、配管Ｐを流通するガスの瞬時流量に変換し、この変換値をＲＡＭ３４に記憶させるようにしている。
【００３７】
また、操作部４ｂの下キー５３又は上キー５４の操作により瞬時流量モードが設定された場合に、図１０（Ａ）に示すように、ＣＰＵ３１は、表示部４ａの瞬時流量モード表示灯４３を点灯させ、検出したガスの瞬時流量（流れセンサ１２における検出値を、配管Ｐを流通するガスの瞬時流量に変換した値）を７セグメントディスプレイ４１にリアルタイムで表示する。一方、操作部４ｂの下キー５３又は上キー５４の操作により積算流量モードが設定された場合に、図１０（Ｂ）に示すように、ＣＰＵ３１は、表示部４ａの積算流量モード表示灯４２を点灯させ、検出したガスの瞬時流量の積算値を７セグメントディスプレイ４１に表示する。なお、瞬時流量の積算値が６桁以上となる場合には、ＣＰＵ３１は、６桁以上の上桁と５桁以下の下桁とを分けて所定時間毎に交互に７セグメントディスプレイ４１に表示するようにする。
【００３８】
実行キー５５が押されて検出期間の終了が設定されると、ＣＰＵ３１は、検出期間に流れセンサ１２により検出され、ＲＡＭ３４に記憶されたガスの瞬時流量（Ｑ1、Ｑ2、……、ＱN-1、ＱN）に基づいて、流量情報を取得する。例えば、図８に示したように、ＣＰＵ３１は、ＲＡＭ３４に記憶されたガスの瞬時流量（Ｑ1、Ｑ2、……、ＱN-1、ＱN）に基づいて、検出期間（０〜ＴN）における最大値ＱMAX、最小値ＱMIN、及び平均値ＱAVEを算出し、流量情報としてＲＡＭ３４に記憶し、記憶された流量情報を７セグメントディスプレイ４１に表示する。
【００３９】
流量情報として最大値ＱMAX、最小値ＱMIN、及び平均値ＱAVEを表示する場合に、ＣＰＵ３１は、それぞれの情報を所定順序、例えば最大値ＱMAX、最小値ＱMIN、平均値ＱAVEの順序で７セグメントディスプレイ４１に表示することができる。または、ＣＰＵ３１は、操作部４ｂの左シフトキー５１又は右シフトキー５２の操作により、最大値ＱMAX、最小値ＱMIN、及び平均値ＱAVEから選択された１つの情報を、７セグメントディスプレイ４１に表示することができる。なお、かかる場合に複数の情報を表示したいときは、操作部４ｂの左シフトキー５１又は右シフトキー５２に対する操作による指定を複数回繰り返せばよい。
【００４０】
また、ＣＰＵ３１は、検出期間の終了が設定されたときに、検出期間（０〜ＴN）における最大値ＱMAX、最小値ＱMIN、及び平均値ＱAVEを算出するとともに、自動的に７セグメントディスプレイ４１に検出期間における流量情報を表示することができる。または、ＣＰＵ３１は、検出期間の終了が設定された後、手動で、すなわちユーザが操作部４ｂの表示キー５７が押したときに、７セグメントディスプレイ４１に最大値ＱMAX、最小値ＱMIN、及び平均値ＱAVEを表示することができる。なお、ディスプレイを一組だけ用いた実施例を説明したが、コストが許せば二組のディスプレイを用いるとよい。一方のディスプレイに経過時間の情報を表示し、他方のディスプレイに対応する流量情報を表示すれば視認性が向上する。あるいは、一方のディスプレイに表示項目を文字表示し、他方のディスプレイに数値を表示すれば視認性が向上する。さらに、液晶ディスプレイやドットマトリックス型ディスプレイ等、複数の項目の表示が可能なディスプレイを用いて認識性を向上させることも可能である。
【００４１】
また、ＣＰＵ３１は、ＲＡＭ３４に記憶させた各種情報（瞬時流量に係る情報やこの瞬時流量に対応する経過時間・時刻に係る情報等）を、通信部３６を介して、無線通信方式や有線通信方式により、流量計１の外部の機器、例えば流量計１に対する各種機能の設定や流量積算値の自動検針を行うための携帯式端末装置等に転送することができる。
【００４２】
このように、本実施形態における流量計１によれば、検出期間の開始及び終了が設定され、検出期間に流れセンサ１２により検出された流量に基づいて、流量情報が取得される。ここで、ガスの使用状況を把握するためには、時刻に関する情報そのものは必ずしも必要ではなく、所定の期間が設定され、当該期間にわたってガスの流量を検出すれば、例えば当該期間における流量の最大値、最小値、平均値等の流量情報を取得することができるので、どの時間帯でどの程度の量を使用しているか、どの時間帯でどの程度の流量があるか等のガスの使用状況を把握することができる。従って、時刻情報を必要とするトレンドデータを収集することなく、検出期間に検出された流量に基づき取得した流量情報から、ガスの使用状況を把握することができる。これにより、時刻情報を得るための時計が不要となるとともに、トレンドデータを収集、解析するための機器構成やコストが不要となることから、比較的安価で簡素な構成を有しながら、被測定流体の使用状況を把握することができる。
【００４３】
また、本実施形態における流量計１によれば、流量情報が、検出期間における瞬時流量の最大値、最小値、及び平均値のうち少なくとも１つを含むので、検出期間（０〜ＴN）における最大値ＱMAX、最小値ＱMIN、及び平均値ＱAVEのうち少なくとも１つの情報を取得することができる。
【００４４】
また、本実施形態における流量計１によれば、流量情報が７セグメントディスプレイ４１に表示されるので、流量情報をユーザに報知することができる。
【００４５】
また、本実施形態における流量計１によれば、流量情報に含まれる複数の情報が所定順序で７セグメントディスプレイ４１に表示されるので、検出期間（０〜ＴN）における最大値ＱMAX、最小値ＱMIN、及び平均値ＱAVEのうち少なくとも２つの情報を、ユーザが順序を設定することなく、自動的に所定順序で表示することができる。
【００４６】
また、本実施形態における流量計１によれば、流量情報に含まれる複数の情報のうち操作部４ｂの左シフトキー５１又は右シフトキー５２の操作により指定された情報が７セグメントディスプレイ４１に表示されるので、検出期間（０〜ＴN）における最大値ＱMAX、最小値ＱMIN、及び平均値ＱAVEから、ユーザが任意に指定した１つの情報を表示することができる。
【００４７】
また、本実施形態における流量計１によれば、検出期間の終了が設定されたときに、７セグメントディスプレイ４１に情報が表示されるので、検出期間（０〜ＴN）における最大値ＱMAX、最小値ＱMIN、及び平均値ＱAVEのうち少なくとも１つの情報を、ユーザの操作を必要とすることなく、自動的に表示することができる。
【００４８】
また、本実施形態における流量計１によれば、検出期間の終了が設定された後、操作部４ｂの表示キー５７の操作により起動されたときに、７セグメントディスプレイ４１に表示するので、検出期間（０〜ＴN）における最大値ＱMAX、最小値ＱMIN、及び平均値ＱAVEのうち少なくとも１つの情報を、ユーザの操作による任意のタイミングで表示することができる。
【００４９】
なお、本発明の構成は、前述の実施形態にのみ限定されるものではなく、本発明の要旨を逸脱しない範囲内において種々変更を加えてもよい。
【図面の簡単な説明】
【００５０】
【図１】本発明の実施形態に係る流量計の斜視図である。
【図２】図１の流量計の計測部を流量計ボディ部から分離させた状態を示す斜視図である。
【図３】（Ａ）は図１の流量計の正面図であり、（Ｂ）は図１の流量計の側面図（（Ａ）の矢印Ｂ方向から見た図）であり、（Ｃ）は図１の流量計の平面図（（Ａ）の矢印Ｃ方向から見た図）である。
【図４】図３（Ｂ）の流量計のＩＶ−ＩＶ部分における断面図である。
【図５】図１の流量計の計測部に設けられた流れセンサを示す斜視図である。
【図６】図５の流れセンサをＶＩ−ＶＩ方向から見た場合の端面図である。
【図７】図１の流量計の計測部に設けられた制御部の機能的構成を示すブロック図である。
【図８】図１の流量計によって検出された流量を示すマップである。
【図９】図１の流量計によって検出された流量及び経過時間を示すデータテーブルである。
【図１０】図１の流量計の表示部及びこの表示部に表示された情報を示すものであって、（Ａ）は瞬時流量を示す図、（Ｂ）は瞬時流量の積算値を示す図である。
【符号の説明】
【００５１】
１…流量計
３ｃ…バイパス流路
４ａ…表示部
４ｂ…操作部
１２…流れセンサ
３１…ＣＰＵ
３４…ＲＡＭ
４１…７セグメントディスプレイ
５１…左シフトキー
５２…右シフトキー
５３…下キー
５４…上キー
５５…実行キー
５７…表示キー
【図１】
0005427395.tif 000002
【図２】
0005427395.tif 000003
【図３】
0005427395.tif 000004
【図４】
0005427395.tif 000005
【図５】
0005427395.tif 000006
【図６】
0005427395.tif 000007
【図７】
0005427395.tif 000008
【図８】
0005427395.tif 000009
【図９】
0005427395.tif 000010
【図１０】
0005427395.tif 000011